(57)【要約】【課題】本発明は、ディスク識別情報を規格化された情報として記録する新しい方法を提供することで、その記録されたディスク識別情報によって光ディスクの記録／再生を効率的に行う。また、ディスク種類に対応するディスク識別情報を記録する規格化された方法を提供することで、同一系列のディスク間に相互互換性を提供する。また、記録／再生方法及び装置を提供することで、記録されたディスク識別情報を用いて効率的に光ディスクにデータを記録／再生する。また、ディスク識別情報をディスク管理領域内に記録し、ディスク表面保護方式によるディスク種類を識別する。【解決手段】光ディスクに識別情報を記録する方法において、ディスク表面保護方式によって識別されるディスク種類を識別するためのディスク識別情報を光ディスクの管理領域に記録する段階を含んで光ディスクの識別情報記録方法を構成する。【選択図】図１
2007502497.tif 000002
【特許請求の範囲】
【請求項１】
光ディスクに識別情報を記録する方法において、
ディスク表面保護方式によって識別されるディスク種類を識別するためのディスク識別情報を光ディスクの管理領域に記録する段階を含んで構成されることを特徴とする光ディスクの識別情報記録方法。
【請求項２】
前記ディスク表面保護方式は、ディスク保護コーティング膜であることを特徴とする請求項１に記載の光ディスクの識別情報記録方法。
【請求項３】
前記ディスク保護コーティング膜の存在可否および前記ディスク保護コーティング膜の種類は、前記ディスク識別情報によって識別されることを特徴とする請求項２に記載の光ディスクの識別情報記録方法。
【請求項４】
前記ディスク保護コーティング膜の種類は、スクラッチ防止用保護コーティング膜であることを特徴とする請求項３に記載の光ディスクの識別情報記録方法。
【請求項５】
前記ディスク保護コーティング膜の種類は、指紋防止用保護コーティング膜であることを特徴とする請求項３に記載の光ディスクの識別情報記録方法。
【請求項６】
前記ディスク保護コーティング膜の種類は、スクラッチ及び指紋防止用保護コーティング膜であることを特徴とする請求項２に記載の光ディスクの識別情報記録方法。
【請求項７】
前記ディスク表面保護方式は、ディスク表面テストであることを特徴とする請求項１に記載の光ディスクの識別情報記録方法。
【請求項８】
前記ディスク表面テストは、スクラッチ防止テストの完了に該当することを特徴とする請求項７に記載の光ディスクの識別情報記録方法。
【請求項９】
前記ディスク表面テストは、指紋防止テストの完了に該当することを特徴とする請求項７に記載の光ディスクの識別情報記録方法。
【請求項１０】
前記ディスク表面テストは、スクラッチ及び指紋防止テストの完了に該当することを特徴とする請求項７に記載の光ディスクの識別情報記録方法。
【請求項１１】
保護コーティング膜の存在可否およびディスク表面テストの完了可否は、前記ディスク識別情報によって識別されることを特徴とする請求項１に記載の光ディスクの識別情報記録方法。
【請求項１２】
前記ディスク識別情報は、前記保護コーティング膜の存在可否および前記ディスク表面テストの完了可否を示す情報の組合せを含むことを特徴とする請求項１１に記載の光ディスクの識別情報記録方法。
【請求項１３】
前記ディスク表面保護方式は、カートリッジ使用であることを特徴とする請求項１に記載の光ディスクの識別情報記録方法。
【請求項１４】
前記ディスク識別情報は、カートリッジ使用の必要性可否を識別するための情報であることを特徴とする請求項１３に記載の光ディスクの識別情報記録方法。
【請求項１５】
前記ディスク識別情報としての保護コーティング膜の存在可否を示す情報と、ディスク表面テストの完了可否を示す情報とは、別途に記録されることを特徴とする請求項１４に記載の光ディスクの識別情報記録方法。
【請求項１６】
前記保護コーティング膜が存在する場合、カートリッジが必要でないと表示されることを特徴とする請求項１５に記載の光ディスクの識別情報記録方法。
【請求項１７】
前記保護コーティング膜が存在し、かつ、前記ディスク表面テストが完了した場合、カートリッジが必要でないと表示されることを特徴とする請求項１５に記載の光ディスクの識別情報記録方法。
【請求項１８】
前記ディスク識別情報は、事前記録領域に予め記録されることを特徴とする請求項１に記載の光ディスクの識別情報記録方法。
【請求項１９】
前記ディスク識別情報は、前記光ディスク内の記録可能管理領域に記録されることを特徴とする請求項１に記載の光ディスクの識別情報記録方法。
【請求項２０】
管理領域と;
データ領域と；
を含んで構成され、
ディスク識別情報を記録するための領域が前記管理領域に提供され、前記ディスク識別情報によってディスク表面保護方式に従ってディスク種類が識別されることを特徴とする光ディスク。
【請求項２１】
光ディスクの管理領域に記録された識別情報を読み取り、ディスク表面保護方式の存在可否を確認する段階と;
前記読み取られた識別情報に基づいて、前記光ディスクのデータ記録または再生を制御する段階と；
を含んで構成されることを特徴とする光ディスクの記録／再生方法。
【請求項２２】
光ディスクの記録または再生を行うとき、発生したデータエラーが基準値を超えるかどうかを判断する段階と;
前記判断段階の結果として前記記録または再生を制御する段階と；
をさらに含むことを特徴とする請求項２１に記載の光ディスクの記録／再生方法。
【請求項２３】
前記制御段階は、前記ディスク識別情報によって識別されたディスク種類に従って別途の案内メッセージを提供する段階を含むことを特徴とする請求項２２に記載の光ディスクの記録／再生方法。
【請求項２４】
前記ディスク識別情報は、保護コーティング膜の存在可否によって決定されることを特徴とする請求項２１に記載の光ディスクの記録／再生方法。
【請求項２５】
前記ディスク識別情報は、ディスク表面テストの完了可否によって決定されることを特徴とする請求項２１に記載の光ディスクの記録／再生方法。
【請求項２６】
前記ディスク識別情報は、カートリッジ使用の必要性可否によって決定されることを特徴とする請求項２１に記載の光ディスクの記録／再生方法。
【請求項２７】
前記ディスク識別情報は、保護コーティング膜の存在可否、ディスク表面テストの完了可否、または、カートリッジ使用の必要性可否の組合せによって決定されることを特徴とする請求項２１に記載の光ディスクの記録／再生方法。
【請求項２８】
記録／再生命令を伝達する制御部と;
前記記録／再生命令の伝達を受けて、前記記録／再生命令によって光ディスクの管理領域に記録されたディスク識別情報を読み取り、前記ディスク識別情報によってディスク表面保護方式の存在可否を確認する方式で記録／再生を行う記録／再生部と；
を含んで構成されることを特徴とする光ディスクの記録／再生装置。
【請求項２９】
発生したデータ量が基準値を超えると、前記記録／再生部は、前記ディスク表面保護方式の存在可否によって識別されたディスク種類に対応する案内メッセージを提供することを特徴とする請求項２８に記載の光ディスクの記録／再生装置。
【請求項３０】
前記ディスク種類は、保護コーティング膜の存在可否によって決定されることを特徴とする請求項２９に記載の光ディスクの記録／再生装置。
【請求項３１】
前記ディスク種類は、ディスク表面テストの完了可否によって決定されることを特徴とする請求項２９に記載の光ディスクの記録／再生装置。
【請求項３２】
前記ディスク種類は、カートリッジ使用の必要性可否によって決定されることを特徴とする請求項２９に記載の光ディスクの記録／再生装置。
【請求項３３】
前記ディスク種類は、保護コーティング膜の存在可否、ディスク表面テストの完了可否、または、カートリッジ使用の必要性可否の組合せによって決定されることを特徴とする請求項２９に記載の光ディスクの記録／再生装置。
【発明の詳細な説明】
【技術分野】
【０００１】
本発明は、記録媒体に関するもので、詳しくは、記録可能な光ディスクの管理領域内にディスク識別情報を記録する方法及びそれを用いた光ディスク記録／再生方法に関するものである。
【背景技術】
【０００２】
最近、ＨＤ−ＤＶＤとして知られた高密度光記録媒体は、高画質のビデオデータおよび高音質のオーディオデータを記録・保存するのに広用されている。ブルーレイディスク（Ｂｌｕ−ｒａｙ  ｄｉｓｃ）は、次世代ＨＤ−ＤＶＤ技術を代表するものである。１回記録可能なブルーレイディスク（ｗｒｉｔｅ−ｏｎｃｅ  Ｂｌｕ−ｒａｙ  ｄｉｓｃ：ＢＤ−ＷＯ）、再記録可能なブルーレイディスク（Ｒｅｗｒｉｔａｂｌｅ  ｂｌｕ−ｒａｙ  ｄｉｓｃ:ＢＤ−ＲＷ）、そして、読み取り専用ブルーレイディスク（ｒｅａｄ−ｏｎｌｙ  Ｂｌｕ−ｒａｙ  ｄｉｓｃ:ＢＤ−ＲＯＭ）のための標準を含めて、ブルーレイディスクの世界標準のための技術仕様が定立されている。
【０００３】
したがって、高倍速（２倍速以上）のＢＤ−ＲＥまたはＢＤ−ＷＯの場合に対応して、新しい規格化を準備する必要がある。特に、ＢＤ−ＲＥまたはＢＤ−ＷＯの場合は、ディスク表面に保護コーティング膜またはハードコーティング膜を形成したり、ディスク表面テストを規格化したり、カートリッジ使用を選択的に規格化するなどのディスク表面保護のための対応策が議論中にある。したがって、高密度光ディスクにおいて、ディスク表面保護対応策によって決定される各ディスク種類に対する効率的な対応が必要であり、これは、相互間の互換性を確保するために規格化された情報として提供されるべきである。
【発明の開示】
【発明が解決しようとする課題】
【０００４】
本発明は、上記した関連技術の限界及び短所による一つ以上の問題点を実質的に解消するためのもので、光ディスクにディスク識別情報を記録する方法を提供する。
【０００５】
本発明の目的は、ディスク識別情報を規格化された情報として記録する新しい方法を提供することで、その記録されたディスク識別情報によって光ディスクの記録／再生を効率的に行うことにある。
【０００６】
本発明の他の目的は、ディスク種類に対応するディスク識別情報を記録する規格化された方法を提供することで、同一系列のディスク間に相互互換性を提供することにある。
【０００７】
本発明のさらに他の目的は、記録／再生方法及び装置を提供することで、記録されたディスク識別情報を用いて効率的に光ディスクにデータを記録／再生することにある。
【０００８】
本発明によるディスク識別情報の記録方法は、ディスク識別情報をディスク管理領域内に記録し、ディスク表面保護方式によるディスク種類を識別することを特徴とする。
【０００９】
本発明の他の長所、目的及び特徴は、発明の詳細な説明において開示されており、これは、当該技術分野における当業者であれば本発明を実現するに足りる。また、本発明の目的及びその他の長所は、開示された発明の詳細な説明及び特許請求の範囲だけでなく図面によっても実現される。
【課題を解決するための手段】
【００１０】
上記のような目的を達成するために、本発明は、光ディスクに識別情報を記録する方法において、ディスク表面保護方式によって識別されるディスク種類を識別するためのディスク識別情報を光ディスクの管理領域に記録する段階を含んで構成されることを特徴とする光ディスクの識別情報記録方法が提供される。
【００１１】
本発明の他の側面によると、管理領域と;データ領域と；を含んで構成され、ディスク識別情報を記録するための領域が前記管理領域に提供され、前記ディスク識別情報によってディスク表面保護方式に従ってディスク種類が識別されることを特徴とする光ディスクが提供される。
【００１２】
本発明のさらに他の側面によると、光ディスクの管理領域に記録された識別情報を読み取り、ディスク表面保護方式の存在可否を確認する段階と;前記光ディスクの記録／再生を行うとき、発生したデータエラーが基準値を超えると、前記ディスク識別情報によって識別されるディスク種類に従って別途の案内メッセージを提供する段階と；を含んで構成された光ディスクの記録／再生方法が提供される。
【００１３】
本発明のさらに他の側面によると、記録／再生命令を伝達する制御部と;前記記録／再生命令の伝達を受けて、前記記録／再生命令によって光ディスクの管理領域に記録されたディスク識別情報を読み取り、前記ディスク識別情報によってディスク表面保護方式の存在可否を確認する方式で記録／再生を行う記録／再生部と；を含んで構成された光ディスクの記録／再生装置が提供される。
【００１４】
上述した本発明の一般的な説明および下記の詳しい説明は、例示的かつ説明的なものであって、特許請求の範囲に記載された本発明に対する付加的な説明を提供するものである。
【発明の効果】
【００１５】
本発明は、高密度光ディスクの管理領域にディスク表面保護方式によるディスク識別情報を記録する多様な規格化された方法を提供することで、その記録された識別情報を用いて光ディスクの記録／再生に効率的に対応できる。
【発明を実施するための最良の形態】
【００１６】
以下、図面を参照して、本発明の実施形態について詳しく説明すれば、次のとおりである。なお、図面全体において同一の構成要素に対しては同一符号を付する。また、説明の便宜上、ブルーレイディスク（ＢＤ：Ｂｌｕ−ｒａｙ  Ｄｉｓｃ）を本発明による光ディスクの例として説明するが、ディスク制御情報が記録された光ディスクを特徴とする本発明の概念は、例えば、ＤＶＤ−ＲＡＭ／−ＲＷ／＋ＲＷ／−Ｒ／＋Ｒなどに同じ方式で適用できる。
【００１７】
併せて、本発明で用いられる用語は、可能な限り現在広く用いられる一般的な用語から選択したが、場合によっては、出願人が任意に選定した用語もあり、その用語の意味は、下記で詳しく説明した。したがって、本発明は、用語自体の単純な名称や意味でない、その選定された該当用語の本来の意味で理解されるべきである。
【００１８】
まず、本発明の説明で用いられた"ディスク識別情報"とは、特定のディスクを他のディスクと区別するための情報を意味する。最近、多様なディスクが登場するにつれて、それらディスクをそれぞれ識別できる情報が必要になってきた。特に、本発明は、ディスク保護方法と連動するディスク種類を識別することを特徴とする。以下、本発明に適用できる各ディスク種類に対し、図１ａ及び図１ｂに基づいて詳しく説明する。図１ａ及び図１ｂの光ディスクには、ブルーレイディスク（ＢＤ）を例に挙げて説明したが、一般的な光ディスクも同様に適用できる。
【００１９】
図１ａ及び図１ｂは、それぞれディスク種類を示している。
【００２０】
図１ａ及び図１ｂを参照すると、ディスクの上面から、基板、記録層、カバー層が順に積層されている。ディスクの下面には保護コーティング膜が選択的に塗布されており、これをハードコーティング膜とも称する。
【００２１】
すなわち、図１ａは、保護コーティング膜が形成された場合を示し、図１ｂは、保護コーティング膜が形成されてない場合を示している。以下、本発明によってディスク種類を識別する基準となるディスク表面保護方法に対して説明する。
【００２２】
まず、光ディスクは、限定された大きさ内で大容量のデータを記録できる保存媒体として便利に携帯できるものである。ディスク表面は、常に外部環境に露出されるため様々な原因によって損傷を受けやすい。例えば、使用者の不注意によって指紋などで汚染されたり、表面にスクラッチが生じうる。
【００２３】
ディスク表面の損傷部分が、そのディスクの記録／再生に深刻な影響を与えることは明らかである。特に、既存のディスクの光線より遥かに小さいブルーレイディスク（ＢＤ）などの高密度ディスクの光線の場合、その損傷部分は、ディスクの動作に致命的な影響を与えうる。
【００２４】
指紋及びスクラッチなどの外部要因によって発生するデータ損失を防止するために、光ディスク規格では、次のような対応策を設けている。
【００２５】
第一に、図１ａに示すように、ディスク表面に保護コーティング膜を提供する。保護コーティング膜は、ディスク表面を外部要因から直接保護する機能をする。保護コーティング膜には、多様な種類がありえる。例えば、スクラッチまたは指紋に強い保護コーティング膜があり、スクラッチおよび指紋の全てに強い保護コーティング膜もある。これら保護コーティング膜を、それぞれハードコーティング膜ともいう。
【００２６】
第二に、ディスク製作過程中に、ディスク表面テストを通してディスクが外部要因に対して特定基準値以上の強度を有することを予め確認し、この確認されたディスクを最終使用者に提供する。したがって、ディスク表面をテストする方法は、予め規格化された情報として提供されるべきである。ディスク表面テストにも、多様な種類がありえる。例えば、スクラッチ防止（ａｎｔｉ−ｓｃｒａｔｃｈ）テストおよび指紋防止（ａｎｔｉ−ｆｉｎｇｅｒｐｒｉｎｔ）テストがあり、スクラッチ防止及び指紋防止の全てに対するテストもある。
【００２７】
第三に、ディスクを外部環境から保護するカートリッジが提供される。カートリッジは、その内部にディスクを封入することで、ディスク表面を外部から完全に分離させる。しかし、カートリッジを記録／再生装置（図１０）内に装着すると、ピックアップ（図１０の"１１"）から発生する光線の通路を形成するようにカートリッジの一部領域がオープンされ、光ディスクの記録／再生が可能になる。したがって、カートリッジは、ディスクを保護する役割をする。特に、再起録可能なディスクにおいては、カートリッジの使用が強制的な場合もある。最近は、分離可能なカートリッジが提供されることで、必要時にディスクをカートリッジに入れて使用することもできる。
【００２８】
上述した保護コーティング膜、ディスク表面テスト及びカートリッジなどのディスク表面保護対応策は、直接的なディスク表面保護方法として活用されるものである。また、ディスクに対する記録／再生を行うとき、記録／再生部（図１０の"１０"）内の信号処理を通してエラーに強いデータを形成したり、ディスク内に欠陥管理領域を提供して欠陥領域を正常領域に取り替えることで、ディスク内のデータを保護する２次的な保護方法もありえる。
【００２９】
本発明は、ディスク表面の直接的な損傷を防止するための保護コーティング膜、ディス表面テストおよびカートリッジに関連するものである。すなわち、ディスク製作者は、該当のディスクが上記の外部要因に対するディスク表面保護対応策のうち少なくとも一つを有するかどうかを知らせるか、該当のディスクが如何なるディスク表面保護対応策を有しているかを知らせるディスク識別情報を該当のディスクの管理領域に記録しておき、光記録／再生装置（図１０）は、記録／再生時にその記録されたディスク識別情報を参照するようになる。
【００３０】
したがって、保護コーティング膜の存在可否、ディスク表面テストの完了可否、またはカートリッジ使用の必要性に対するディスク識別情報をディスク内に規格化された情報として提供することで、使用者または制御部（図１０の"２０"）が記録／再生時にそのディスク識別情報を用いるようにすることが、本発明の主要な技術的思想である。
【００３１】
図２は、本発明による一つの記録層を有する単一層ディスクを示した構造図である。
【００３２】
図２を参照すると、リードイン領域が光ディスクの内周領域上に管理領域として提供される反面、リードアウト領域は、光ディスクの外周領域上に管理領域として提供される。具体的に、光ディスクの内周領域は、事前記録領域（ｐｒｅｒｅｃｏｒｄｅｄ  ａｒｅａ）と再記録可能または１回記録可能な領域とに分けられる。
【００３３】
事前記録領域は、ディスクの製作過程中にデータを予め記録しておいた領域であり、使用者またはシステムは、その事前記録領域にデータ記録を行うことができない。再記録可能／１回記録可能なブルーレイディスク（ＢＤ−ＲＥ／ＷＯ）では、事前記録領域をＰＩＣ（ｐｅｒｍａｎｅｎｔ  ｉｎｆｏｒｍａｔｉｏｎ  ａｎｄ  ｃｏｎｔｒｏｌ  ｄａｔａ）領域と称する。ＰＩＣ領域には、ディスク記録に必要な情報としてのディスク情報（Ｄｉｓｃ  Ｉｎｆｏｒｍａｔｉｏｎ）(以下、‘ＤＩ'と称する)が記録される。
【００３４】
データ領域には、使用者の実際データが記録される使用者データ領域と、欠陥領域の発生時、これに取り替えられるスペア領域（ＩＳＡ、ＯＳＡ）と、が提供される。特に、ＢＤ−ＷＯのような１回記録可能な光ディスクには、欠陥管理及び一般管理に関する情報を記録するＴＤＭＡ（Ｔｅｍｐｏｒａｒｙ  Ｄｅｆｅｃｔ  Ｍａｎａｇｅｍｅｎｔ  Ａｒｅａ）が提供される。再記録可能なＢＤ（ＢＤ−ＲＥ）の場合、ＴＤＭＡは不要な領域であるため指定保留領域（ｒｅｓｅｒｖｅｄ  ａｒｅａ）として残される。
【００３５】
本発明の説明において‘ディスク情報’とは、ディスク記録／再生のための様々な情報を含む情報または領域を意味する。ディスク情報とは、ディスク製作者がディスク使用者に提供する事前記録またはエンボスされた領域内の情報に対する一般名称である。ディスク情報は、事前記録領域に提供されるだけでなく、使用者の要請によって記録可能領域にも提供される。事前記録またはエンボスされた領域内のディスク情報は、例えば、記録可能領域にも複写されうる。ブルーレイディスクに適用可能な‘ディスク情報’は、ＤＶＤ−ＲＡＭ／−ＲＷ／＋ＲＷ／−Ｒ／＋Ｒなどでは‘物理的フォーマット情報'とも称する。
【００３６】
したがって、本発明の技術的思想は、ＤＶＤ−ＲＡＭ／−ＲＷ／＋ＲＷ／−Ｒ／＋Ｒでの‘物理的フォーマット情報'と同一に適用できる。以下、説明の便宜上、ブルーレイディスク（ＢＤ）の場合に該当する‘ディスク情報（以下、ＤＩと称する)'を例に挙げて本発明を説明する。
【００３７】
本発明は、ディスク表面保護方式によるディスク種類を識別するための多様な識別情報を事前記録領域に記録するものである。事前記録領域に記録された管理情報は、記録または再生時に考慮するために常に読み取られる。したがって、事前記録領域は、新しいディスク識別情報を規格化された情報として提供するのに適している。
【００３８】
特に、ＢＤ−ＲＥ／ＷＯの場合、事前記録領域としてのＰＩＣ領域は、２位相化高周波変調信号（ｂｉｐｈａｓｅｄ  ｈｉｇｈ−ｆｒｅｑｕｅｎｃｙ  ｍｏｄｕｌａｔｅｄ  ｓｉｇｎａｌｓ）で記録され、その領域の高周波変調信号は、特定の再生方式によって再生され、この再生によって情報を取得するようになる。このとき、事前記録領域内の記録方法は、対応するディスク規格（例えば、ＤＶＤ規格、ＣＤ規格など）によって異に適用されるべきである。
【００３９】
図３は、図２に示したディスクのＰＩＣ領域の構造を示した図である。これは、上述したように、高周波に変調されたＰＩＣ領域内の情報を全て取得したとき、図３のＰＩＣ領域の構造のように情報を再配置できることを意味する。
【００４０】
以下、ＰＩＣ領域内のディスク情報（ＤＩ）を構成する方法を詳しく説明する。ＢＤ−ＲＥ／ＷＯにおいて‘一つのクラスタ’は、最小記録単位を示し、５４４クラスタが集まって一つの上位記録単位としての断片を形成し、総５個の断片が集まってＰＩＣ領域を形成する。ディスク情報は、最初の断片（ＩＦ０）の先頭クラスタに記録される。ディスク情報は、該当の光ディスクに適用可能な記録倍速及び記録層別に複数個の情報として記録され、一つのディスク情報は、１１２バイトによって構成される。１１２バイトによって構成されたディスク情報を、ディスク情報フレーム（ＤＩ  ｆｒａｍｅ）と称する。また、残りの断片の先頭クラスタにも同一内容のディスク情報を繰り返して記録することで、ディスク情報の損失に対応できる。
【００４１】
各ディスク情報内には、該当の記録層を示す情報と、記録倍速を示す情報と、その記録倍速に対応する記録関連技法情報（ｗｒｉｔｅ  ｓｔｒａｔｅｇｙ（ＷＳ）ｉｎｆｏｒｍａｔｉｏｎ）が記録されている。また、ディスク種類識別情報も、ディスク情報内に記録されている。したがって、該当の光ディスクの記録または再生にこれら情報を活用することで、ディスク種類別または記録倍速別に最適に記録パワーを提供できるようになる。
【００４２】
本発明によってディスク情報内にディスク種類情報を含む識別情報を記録する方法の多様な実施形態に対し、図４乃至図１１を参照して詳しく説明する。
【００４３】
図４は、本発明の一実施形態によるディスク識別情報の記録を示した図で、ディスク識別情報は、ディスク表面保護方式の一つである保護コーティング膜の存在可否によって記録される。
【００４４】
図４を参照すると、ディスク内に複数のディスク情報が記録され、その順序を決定するように複数のディスク情報にそれぞれの一連番号が与えられ、その順序は１バイトで記録される。例えば、その情報をディスク情報内に５番目のバイトで記録しておき、これを"ＤＩブロック内のＤＩフレーム一連番号（ＤＩ  ｆｒａｍｅ  ｓｅｑｕｅｎｃｅ  ｎｕｍｂｅｒ  ｉｎ  ＤＩ  ｂｌｏｃｋ)"フィールドと命名し、簡略的に"００ｈ、０１ｈ、０２ｈ、０３ｈ…"などで表示した。すなわち、５番目のバイトの情報が"００ｈ"であると最初のディスク情報を意味し、５番目のバイト情報が"０３ｈ"であると４番目のディスク情報を意味する。
【００４５】
ディスク情報内の特定領域（すなわち、Ｌ番目〜１１１番目のバイトで"記録関連技法パラメータ（Ｗｒｉｔｅ  Ｓｔｒａｔｅｇｙ  ｐａｒａｍｅｔｅｒｓ)"フィールドと命名した領域）には、該当のディスク情報が示す倍速と連動する記録関連技法（ＷＳ）を記録しておく。ディスク情報内のさらに他の特定領域（すなわち、Ｎ番目のバイトで"ディスク層"フィールドと命名した領域）には、ディスク表面上における保護コーティング膜の存在可否によるディスク種類を識別できる識別情報を記録しておく。
【００４６】
前記識別情報には、各ディスク種類ごとに特定の認識値を割り当てる。例えば、特定の認識値が"００００  ０００１ｂ"であると非保護コーティング膜ディスク（保護コーティング膜のないディスク）を意味し、"００００  ００１０ｂ"であると保護コーティング膜ディスク（保護コーティング膜のあるディスク）を意味すると定義する。
【００４７】
非保護コーティング膜ディスクの場合、使用者は、ディスクを用いるときに一層注意を注ぐべきである。記録／再生部（図１０の"１０"）は、このような事実を使用者に案内メッセージ形態で伝達し、これによって、ディスクの使用効率を一層高めるようになる。記録／再生部（図１０の"１０"）を通した光ディスク記録／再生方法は、以下で詳しく説明する。
【００４８】
図５は、本発明の他の実施形態によるディスク情報を用いたディスク識別情報の記録を示した図で、保護コーティング膜ディスクの場合、保護コーティング膜の種類を識別できることを示している。
【００４９】
図５を参照すると、ディスク情報のＮ番目のバイトである"ディスク層"フィールドが"００００  ０００１ｂ"であると非保護コーティング膜ディスクを意味し、かつ、"００００  ００１０ｂ"、"００００  ０１００ｂ"、または"００００  １０００ｂ"であると保護コーティング膜ディスクを意味し、保護コーティング膜の種類をそれぞれ識別できる識別情報を意味すると定義できる。例えば、ディスク情報のＮ番目のバイトが"００００  ００１０ｂ"であるとスクラッチ防止用保護コーティング膜が形成されたことを意味し、"００００  ０１００ｂ"であると指紋防止用保護コーティング膜が形成されたことを意味し、"００００  １１００ｂ"であるとスクラッチおよび指紋の全てを防止するスクラッチ及び指紋防止用保護コーティング膜が形成されたことを意味する。特に、Ｎ番目のバイトが"００００  １０００ｂ"である場合、全ての外部要因からディスク表面を保護する保護コーティング膜として解析できる。
【００５０】
したがって、ディスク製作者は、保護コーティング膜をディスク表面に形成した場合、その保護コーティング膜の種類に対する情報、特に、如何なる外部要因を防止するものであるかを知らせる情報をディスク情報内に記録できるようになる。"００００  １０００ｂ"と表示される全ての外部要因に強い保護コーティング膜の場合、その記録された情報は、該当のディスクがカートリッジのないディスクまたはベアディスク（ｂａｒｅ  Ｄｉｓｃ）として使用可能であることを知らせる情報として活用できる。残りの５番目のバイトおよびＬ番目〜１１１番目のバイトは、図４の場合と同一であってそれに対する説明を省略する。
【００５１】
図６は、本発明のさらに他の実施形態によるディスク情報を用いるディスク識別情報の記録を示した図で、ディスク表面をディスク表面保護対応策の一つである規格化された方法でテストし、そのテスト結果によってディスク種類情報を記録することを示している。
【００５２】
本実施形態において"ディスク表面テスト"とは、保護コーティング膜の存在可否と関係なしに、カバー層または保護層などの最終ディスク表面を規格化されたテスト方法でテストしたかどうかを示す情報を記録することである。すなわち、テストの完了は、該当のディスクが特定の外部要因に強いことを証明するものである。
【００５３】
図６を参照すると、ディスク情報のＮ番目のバイトである"ディスク層"フィールドが"００００  ０００１ｂ"であると、ディスク表面テストを行ってない非ディスクテスト（ｎｏｎ−Ｄｉｓｃ  Ｔｅｓｔ）を意味し、かつ、"００００  ００１０ｂ"、"００００  ０１００ｂ"または"００００  １０００ｂ"であると、ディスク表面テストを行ったことを意味し、それぞれの保護コーティング膜種類を識別できる識別情報を意味すると定義できる。例えば、ディスク情報のＮ番目のバイトが"００００  ００１０ｂ"であると、ディスク表面テストとしてスクラッチ防止テストを行ったことを意味し、"００００  ０１００ｂ"であると、ディスク表面テストとして指紋防止テストを行ったことを意味し、"００００  １１００ｂ"であると、ディスク表面テストとしてスクラッチ及び指紋の全てを防止可能なスクラッチ及び指紋防止テストを行ったことを意味する。特に、本発明においてＮ番目のバイトが"００００  １０００ｂ"である場合、全ての外部要因に対するディスク表面テストを行ったと解析できる。
【００５４】
また、図７のように、ディスク表面テストによるディスク種類を区別する方法は、図４または図５の保護コーティング膜の存在可否によって区別する場合と共に記録される。例えば、ディスク情報のＮ番目のバイトである"ディスク層"フィールドを４ビットずつ区分して、最初の４ビットにはディスク表面テスト可否に対する情報を提供し、二番目の４ビットには保護コーティング膜の存在可否を示す情報を提供する。この場合、二番目の４ビットは、図４のように保護コーティング膜の有無を示すか（例１）、図５のように保護コーティング膜の種類を示す（例２）。
【００５５】
図８は、本発明のさらに他の実施形態によるディスク情報を用いるディスク識別情報の記録を示した図で、ディスク表面保護対応策の一つであるカートリッジ使用の必要性可否によってディスク種類情報を記録することを示している。
【００５６】
上述したように、カートリッジ使用は、ディスク表面保護対応策の一つとして、保護コーティング膜とは関係なしに別個に用いられる。保護コーティング膜が存在しない場合は、一般的にカートリッジの使用が必要である。しかし、保護コーティング膜の存在可否に対する情報と、カートリッジ使用の必要性可否に対する情報とが必ず一致することはないので、カートリッジ使用の必要性に対する情報を別途に提供する必要がある。
【００５７】
したがって、図８のように、カートリッジ使用の必要性によるディスク種類を区別する方法を、図４または図５の保護コーティング膜の存在可否によってディスク種類を区別する場合と共に記録できる。例えば、ディスク情報のＮ番目のバイトである"ディスク層"フィールドを４ビットずつ区分して、最初の４ビットにはカートリッジ使用の必要可否に対する情報を提供し、二番目の４ビットには保護コーティング膜の存在可否を示す情報を提供する。この場合、最初の４ビットが"００００ｂ"であるとカートリッジ使用が必要であることを意味し、"０００１ｂ"であるとカートリッジ使用が必要でないことを意味する。また、二番目の４ビットは、図４のように保護コーティング膜の有無を示したり（例１）、図５のように保護コーティング膜の種類を示す（例２）。
【００５８】
図９は、本発明のさらに他の実施形態によるディスク情報を用いるディスク識別情報の記録を示した図で、保護コーティング膜の存在可否、ディスク表面のテスト可否、及びカートリッジ使用の必要性可否を全て組合せたディスク種類情報を、ディスク情報内にディスク識別情報として記録することを示している。
【００５９】
図９を参照すると、カートリッジ使用の必要性可否、ディスク表面のテスト完了可否、および保護コーティング膜の存在可否を、ディスク情報のＮ番目のバイトである"ディスク層"フィールドの最初の２ビット、二番目の３ビット、三番目の３ビットにそれぞれ記録することと定義しておき、図４乃至図８で採択したディスク種類識別方法を適用してそれぞれの領域を記録する。
【００６０】
すなわち、Ｎ番目のバイトが"００  ００１  ００１ｂ"であると、該当のディスクには保護コーティング膜が存在せず、ディスク表面テストも行われてないことを意味し、該当のディスクに対するカートリッジ使用が必要であることを定義している。もしＮ番目のバイトに"０１  １０１  １０１ｂ"が記録されていると、全ての外部要因を考慮した保護コーティング膜（タイプ３（Ｔｙｐｅ３））が存在し、かつ、全てのディスク表面テストを完了したことを意味し、該当のディスクに対するカートリッジの使用が不要であることを定義している。
【００６１】
図４乃至図９を参照して説明した多様なディスク種類情報記録方法から分かるように、本発明のディスク種類情報は、ディスク製作者と記録／再生装置（図１０）との間に規定された情報としてディスクの管理領域であるディスク情報内に記録しておく。これによって、記録／再生装置（図１０）がディスクの現在状態を正確に把握し、ディスクの再生時、最終使用者にディスク使用のための案内メッセージを提供することで、ディスクの使用効率を高めるようになる。
【００６２】
以下、図１０及び図１１では、ディスク情報内に記録された上記のディスク識別情報を用いる光ディスクの記録／再生方法及び装置に対して説明する。
【００６３】
図１０は、本発明に適用できる光ディスク記録／再生装置を示したブロック図である。
【００６４】
図１０を参照すると、本発明による記録／再生装置は、光ディスクに対して記録／再生を行う記録／再生部１０と、この記録／再生部１０を制御する制御部２０と、から構成される。制御部２０は、特定領域に対する記録または再生命令を下し、記録／再生部１０は、制御部２０の命令によって特定領域に対する記録／再生を行う。
【００６５】
具体的に、記録／再生部１０は、外部装置と通信を行うインターフェース部１２と、光ディスクにデータを直接記録または再生するピックアップ部１１と、このピックアップ部１１から再生信号を受信して必要な信号値に復元したり、記録される信号を光ディスクに記録される信号に変調して伝達するデータ処理部１３と、光ディスクから正確に信号を読み取るか、光ディスクに信号を正確に記録するためにピックアップ部１１を制御するサーボ部１４と、管理情報を含む多様な情報及びデータを一時保存するメモリ１５と、前記記録／再生部１０内の上述した構成要素の制御を担当するマイコン１６と、から構成される。前記装置は、制御部２０を含んでない場合、マイコン１６が制御部２０の機能を行えるように構成する。
【００６６】
以下、図１０及び図１１を参照して、本発明による光ディスクの再生過程を詳しく説明する。
【００６７】
まず、光ディスクが記録／再生装置に装着されると、ディスク内の全てのディスク管理情報が読み取られ、記録／再生部１０のメモリ１５に一時保存される。光ディスクの記録／再生時、多様な種類のディスク管理情報が活用されるようになる。特に、メモリに保存される管理情報には、本発明のディスク情報が含まれ、これによって、ディスク情報内に記録されたディスク種類情報も読み取られてメモリ１５に保存される。併せて、前記ディスク種類情報は、保護コーティング膜の有無、ディスク表面のテスト可否、または、カートリッジ使用の必要性可否と連動して決定・記録される。
【００６８】
制御部２０が、現在装着された光ディスクの特定位置に記録された信号を記録／再生するようにとの記録／再生命令を記録／再生部１０に伝達すると、記録／再生部１０は、制御部２０の記録／再生命令を次のように行う。すなわち、記録／再生部１０は、既に読み取られて保存中の各種管理情報を用いて記録／再生を行う。記録／再生の途中に、既に設定された基準値（Ｔｓ）を超えるエラーが発生する場合は、ディスプレイ装置３０を通してそのエラー発生を使用者に提供できる。そのエラー発生を提供するときは、上記の予め読み取られたディスク種類によって別途の対応策を案内することも可能である。
【００６９】
例えば、ディスク種類が保護コーティング膜の存在しないことに対応する場合、既に設定された基準値（Ｔｓ）を超えるエラーが発生すると、制御部２０は、"ディスク表面に保護コーティング膜が存在しないディスクであり、エラー発生可能性が高いので、ご注意願います"と表示する"案内メッセージ-３"を提供できる。
【００７０】
また、ディスク種類が、保護コーティング膜の存在すること、かつ、スクラッチ防止用保護コーティング膜であることに対応する場合（タイプ１）、既に設定された基準値（Ｔｓ）を超えるエラーが発生すると、制御部２０は、"ディスク表面に汚染可能性があるので、布またはスプレーで軽く拭いてください"と表示する"案内メッセージ-１"を提供できる。
【００７１】
また、ディスク種類が、保護コーティング膜の存在すること、かつ、指紋防止用保護コーティング膜であることに対応する場合（タイプ２）、既に設定された基準値（Ｔｓ）を超えるエラーが発生すると、制御部２０は、"ディスク表面にスクラッチ発生可能性があるので、ご確認ください"と表示する"案内メッセージ-２"を提供できる。上記の案内メッセージ-１、２、３は、例示的なものに過ぎなく、多様な案内メッセージが多様な方式で提供されうる。さらに、保護コーティング膜の存在可否のみならず、ディスク表面のテスト可否またはカートリッジ使用の必要性可否による案内メッセージも提供されうる。
【００７２】
したがって、本発明は、高密度光ディスクの管理領域にディスク表面保護方式によるディスク識別情報を記録する多様な規格化された方法を提供することで、その記録された識別情報を用いて光ディスクの記録／再生に効率的に対応できるようになる。
【００７３】
本発明は、当業者によって多様に修正および変更可能である。また、本発明は、特許請求の範囲およびそれに均等したものに属する全ての修正及び変更を含んでいる。
【図面の簡単な説明】
【００７４】
【図１ａ】本発明を記述するためのディスク種類を示した構造図である。
【図１ｂ】本発明を記述するためのディスク種類を示した構造図である。
【図２】本発明に適用可能な単一層ディスクを示した図である。
【図３】本発明のディスク識別情報が記録される管理領域を示した図である。
【図４】本発明の一実施形態によるディスク識別情報の記録を示した図である。
【図５】本発明の他の実施形態によるディスク識別情報の記録を示した図である。
【図６】本発明のさらに他の実施形態によるディスク識別情報の記録を示した図である。
【図７】本発明のさらに他の実施形態によるディスク識別情報の記録を示した図である。
【図８】本発明のさらに他の実施形態によるディスク識別情報の記録を示した図である。
【図９】本発明のさらに他の実施形態によるディスク識別情報の記録を示した図である。
【図１０】本発明に適用可能な光ディスク記録／再生装置を示したブロック図である。
【図１１】本発明によるディスク識別情報を用いる記録方法を示したフローチャートである。
【図１ａ】
2007502497.tif 000003
【図１ｂ】
2007502497.tif 000004
【図２】
2007502497.tif 000005
【図３】
2007502497.tif 000006
【図４】
2007502497.tif 000007
【図５】
2007502497.tif 000008
【図６】
2007502497.tif 000009
【図７】
2007502497.tif 000010
【図８】
2007502497.tif 000011
【図９】
2007502497.tif 000012
【図１０】
2007502497.tif 000013
【図１１】
2007502497.tif 000014
【国際調査報告】
2007502497.tif 000015
2007502497.tif 000016